(57)【要約】防水・通気性隔膜（１３）と、通気性のある伸び防止用複合材料から作られて、隔膜（１３）の周辺区域に、かつ、対応区域で底革（１０）の接地部（１２）に一体状に結合された少なくとも１つの下部層（１５）とを備えてなる、靴の防水・通気性底革（１０）用間底（１１）。この底革（１０）には間底（１１）が設けられている。
2004511280.tif 000002
【特許請求の範囲】
【請求項１】
防水・通気性隔膜（１３，１１３，２１３）と、
通気性のある伸び防止用複合材料から作られて、前記隔膜（１３，１１３，２１３）の周辺区域に、かつ、対応区域で底革（１０，１１０，２１０）の接地部（１２，１１２，２１２）に一体状に結合された少なくとも１つの下部層（１５，１１５，２１５）とを備えてなることを特徴とする、靴の防水・通気性底革用の改良型間底。
【請求項２】
前記隔膜（１３）と伸び防止用複合材料の前記の層（１５）との間に配置された、耐加水分解性、撥水性、通気性または孔明きの材料から作られた保護層（１４）があることを特徴とする請求項１に記載の間底。
【請求項３】
前記隔膜（１３）と前記伸び防止層（１５）との間の結合が、接着剤によって、かつ／またはホットプレス加工によってもたらされていることを特徴とする請求項１または２に記載の間底。
【請求項４】
前記隔膜（１３，１１３）と前記伸び防止層（１５，１１５）との間の結合が、ホットプレス加工、接着あるいはオーバーモールド加工による周辺封止法で、成形ずみインサートで、あるいは組付ずみインサートでもたらされていることを特徴とする請求項１または２に記載の間底。
【請求項５】
前記伸び防止層が、５％未満の極限伸びで１０００Ｎ／ｃｍを超える破壊応力を有していることを特徴とする請求項１に記載の間底。
【請求項６】
前記伸び防止層（１５）が、相異なる少なくとも４つの方位、つまり、横糸方位、縦糸方位、斜め右から左への方位および、斜め左から右への方位で織られた、炭素および／またはガラスおよび／またはポリプロピレンの繊維から作られており、これらの繊維は、前記応力を繊維の全体へ伝達するように意図されているフェノール樹脂、ポリウレタン樹脂、エポキシ樹脂のような樹脂、天然ゴムあるいは合成ゴムで、高密度層が形成されないように、含浸されていることを特徴とする請求項５に記載の間底。
【請求項７】
前記伸び防止層（１５）が、相異なる少なくとも４つの方位、つまり、横糸方位、縦糸方位、斜め右から左への方位および、斜め左から右への方位で織られた、炭素および／またはガラスおよび／またはポリプロピレンの繊維から作られており、これらの繊維は、低い融点を有し、それによって、繊維の一部が、溶融とその結果として生じる含浸とで一体状に結合するためのホットプレス加工処理によって溶融することを特徴とする請求項５に記載の間底。
【請求項８】
前記伸び防止層（１５）が、織られて含浸された繊維の束からなる格子（１７）によって構成されていることを特徴とする請求項６または７に記載の間底。
【請求項９】
プラスチックから作られ、かつ、地面との接触区域から複合材料で作られた前記の層（１５，１１５）まで延びている貫通孔（１６，１１６）が設けられた前記接地部（１２，１１２）を備え、前記接地部（１２，１１２）が、周辺の接着あるいはホットプレス加工によって前記間底（１１，１１１）へ組み付けられていることを特徴とする請求項１または２に記載の間底を備えてなる底革。
【請求項１０】
プラスチックから作られ、かつ、地面との接触区域から複合材料で作られた前記の層（１１５）まで延びている貫通孔（１１６）が設けられた前記接地部（１１２）を備え、前記接地部（１１２）が、周辺の接着あるいはホットプレス加工あるいはオーバーモールド加工によって前記間底（１１１）へ組み付けられていることを特徴とする請求項４に記載の間底を備えてなる底革。
【請求項１１】
革、獣皮あるいは、通気性の点に関して同等である材料によって構成されている前記接地部を備え、前記接地部（１１２）が、周辺の接着によって前記間底（１１１）へ組み付けられていることを特徴とする請求項１または２に記載の間底を備えてなる底革。
【請求項１２】
革、獣皮あるいは、通気性の点に関して同等である材料によって構成されている前記接地部（２１２）を備え、前記接地部（２１２）が、周辺の接着あるいはホットプレス加工によって、または前記インサートの上へのオーバーモールド加工によって前記間底（２１１）へ組み付けられていることを特徴とする請求項１または２に記載の間底を備えてなる底革。
【発明の詳細な説明】
【０００１】
技術分野
この発明は、靴の防水・通気性底革用の改良型間底に関するものである。
【０００２】
この発明はまた、前記の間底を備えてなる防水・通気性底革に関するものである。
【０００３】
背景技術
プラスチック製の、靴の防水・通気性底革は、すでに知られている。
【０００４】
このような１つの底革は、この発明の出願人と同じ出願人による米国特許第５，９８３，５２４号およびヨーロッパ特許第０８５８２７０号の各公報に開示されており、それらの内容は引用によってこの明細書に組み入れられる。
【０００５】
この場合、その底革は、
防水・通気性材料から作られた隔膜を有し、耐加水分解性、撥水性、通気性および／または孔明きの材料から作られた下部保護層に結合された間底と、
孔明きのエラストマーから作られ、間底に周辺で気密状に接合された接地部とを備えてなる。
【０００６】
この発明の出願人と同じ出願人による米国特許出願第０９／４２３，２９９号およびヨーロッパ特許出願第９８９２４２４４．１号の各明細書に開示され、それらの内容が引用によってこの明細書に組み入れられる防水・通気性底革もまた知られているが、その底革は、組付ずみのインサートを備えてなり、そのインサートには、耐加水分解性、撥水性、通気性および／または孔明きの材料から作られた下部保護層に結合された防水・通気性隔膜がある。
【０００７】
このインサートは、これを覆って成形されあるいは組み付けられて前記隔膜および前記保護層を取り囲み、かつ、それに気密状に接合された要素によって、仕上げられている。
【０００８】
このインサートは、間底の一部であり、孔明きのプラスチックから作られてインサートおよび間底を覆って成形されあるいは組み付けられた接地部に、間底とともに接合されている。
【０００９】
この発明の出願人と同じ出願人による米国特許第５，５９８，６４４号およびヨーロッパ特許第０６１９９５９号の各公報に開示され、それらの内容が引用によってこの明細書に組み入れられる底革もまた知られているが、その底革は革製接地部を備えてなり、この接地部は、防水・通気性隔膜で構成された間底によって、かつ、その隔膜に封止されるとともにその接地部に一体状に結合しているプラスチック製周辺要素によって、上寄り区域で少なくとも一部が覆われている。
【００１０】
この接地部が孔明きのプラスチックから作られているときには、その隔膜の下方に配置された保護要素は、接地部の孔を偶然通過した異物により前記隔膜に孔が明くのを保護するように設計されている。
【００１１】
前記の底革は、何年間も市販されており、また、靴の内側の微小環境と外側の微小環境との間における熱および水蒸気の適正な交換を保証するものとこぞって認められているが、それらには、欠点がないわけではなく、底革の引張弾性率と底革の周辺区域に一体状に組み付けられた接地部のそれとの間に差があるために、その隔膜が破れる傾向が含まれている。
【００１２】
この隔膜は、実際には、きわめて制限された弾性を有する材料である発泡ポリテトラフルオロエチレンから作られているのが普通であり、一方、底革は、ゴムあるいは他のポリマー材料あるいは革から作られており、その固有の性質と用途の必要条件とのために、弾性および可撓性にきわめて富むものでなければならない。
【００１３】
このため、この隔膜は、使用の間の動きにおける底革の曲げ変形によってその中に生じた応力を吸収することができず、そのため、破れやすく、かつ、その防水性を失いやすい。
【００１４】
この隔膜の下方に配置された保護要素は、ポリエステル製フェルトから作られているのが普通であり、底革の変形によって生じた張力をそれ自体が吸収することはできない、ということがわかった。
【００１５】
発明の開示
従って、この発明の目標は、その破れを引き起こすおそれのある限界を超えて防水・通気性隔膜が使用の間に伸びるのが防止される、靴の防水・通気性底革用間底を提供することにある。
【００１６】
この目標の範囲内で、この発明の１つの目的は、間底および底革の防水性および通気性を低下させることなく前記従来技術の欠点を排除することにある。
【００１７】
別の目的は、間底と、公知のものに対して特別な構造的複雑さを伴わない関連の底革とを提供することにある。
【００１８】
別の目的は、間底と、費用の点で公知の種類のものと競合することのできる関連の底革とを提供することにある。
【００１９】
この目標、これらの目的および他の目的は、後にいっそう明らかになるであろうが、
防水・通気性隔膜と、
通気性のある伸び防止用複合材料から作られて、前記隔膜の周辺区域に、かつ、対応区域で底革の接地部に一体状に結合された少なくとも１つの下部層とを備えてなることを特徴とする、靴の防水・通気性底革用間底によって達成される。
【００２０】
この発明のさらに別の特徴と利点は、添付図面において非限定的な例としてだけ示された、それのいくつかの実施態様についての詳細な説明からいっそう明らかになるであろう。
【００２１】
発明の実施方法
図１および図２によれば、靴の底革は、参照符号１０で全体として表され、かつ、複合材料製間底１１と接地部１２とを備えてなる。
【００２２】
この発明によれば、間底１１は、一般に市販されている防水・通気性材料、例えば発泡ポリテトラフルオロエチレンから作られた隔膜１３と、耐加水分解性、撥水性、通気性および／または孔明きの材料（普通はポリエステル製フェルト）から作られた保護層１４と、通気性のある伸び防止用複合材料から作られ、前記隔膜１３の周辺区域に、かつ、対応区域で底革１０の接地部１２に一体状に結合された少なくとも１つの層１５とを、上から下まで備えてなる。
【００２３】
この場合には、接地部１２は、ゴム、ポリウレタンあるいは他のポリマーのようなプラスチック材料から作られていて、地面との接触区域から層１５まで延びるいくつかの貫通孔１６が設けられている、ことが好ましい。
【００２４】
隔膜１３、伸び防止層１５および接地部１２は、適切な接着剤、例えばホットメルト系の接着剤によって、または、接地部１２のホットプレス加工あるいはオーバーモールド加工によって、具合よく設けることができる。
【００２５】
伸び防止層１５については、すでに述べたように、それは、通気性のあるものでなければならず、また、きわめて高い引張弾性率を有していなければならず、
５％未満の極限伸びで１０００Ｎ（ニュートン）／ｃｍを超える破壊応力（織物について、この試験は、５ｃｍの有効幅と２０ｃｍの有効長さとが備わり、厚さが無関係であるとみなされている試験片について行なわれる）を有しているのが好ましい。
【００２６】
前記の層は、相異なる少なくとも４つの方位、つまり、横糸方位、縦糸方位、斜め右から左への方位および、斜め左から右への方位で織られた、炭素および／またはガラスおよび／またはポリプロピレンの繊維から作ることができる。
【００２７】
これは、底革の長手方向および横断方向を効率のよいものとみなすことができるものの、複数の方向における高い弾性率を具合よく保証するために行なわれる。
【００２８】
図２には格子１７が示されており、これは、使うことができ、かつ、織られて含浸され、空気通路のためのゆったりした空間を残す繊維の束によって、構成されている。
【００２９】
これらの繊維は、フェノール樹脂、ポリウレタン樹脂、エポキシ樹脂のような適切な樹脂、天然ゴムあるいは合成ゴムで含浸されており、前記応力を繊維の全体へ伝達するように設計されている。
【００３０】
含浸は、通気性が損なわれるのを防止するため、高密度層が形成されないように行なわなければならない。
【００３１】
代案として、層１５は、前記のものと類似した特性を有しているが融点の低い繊維から作ることができ、その結果、ホットプレス加工処理によって、前記繊維の一部を、溶融で一体状に結合しかつこの方法で含浸状態を作ることができるように、溶融することができる。
【００３２】
前記の間底については、底革１０の接地部１２によって生じた応力は、もはや隔膜１３の上へ解放されることはないが、それとともに周辺に結合されて伸びを防止しそれゆえ破れを防止する伸び防止層１５の上へ解放される。
【００３３】
いくつかの場合に、伸び防止層１５によって孔明き防止用保護を具合よく行なうことができるときには、保護層１４はなしですませるのが好ましい。
【００３４】
さて、図３によれば、第２実施態様において、底革は、全体として参照符号１１０で表されており、複合材料からなる間底１１１および接地部１１２を備えてなる。
【００３５】
この発明のこの実施態様によれば、間底１１１は、第１実施態様で説明された種類の防水・通気性材料から作られた隔膜１１３を備えてなり、その下寄り区域で、たいていポリエステル製フェルトから作られている保護層１１４に結合されている。
【００３６】
保護層１１４の下方には、通気性のある伸び防止用複合材料から作られた少なくとも１つの層１１５がある。
【００３７】
この第２実施態様において、間底１１１の諸構成要素は、前記接地部１１２がホットプレス加工あるいは周辺封止法での接着あるいはオーバーモールド加工によって接合された、成形ずみの、あるいは組付ずみの周辺インサート１１８とともに組み付けられているが、前記接地部は、プラスチックから作られているとともに、前記の孔１６と同じ型の貫通孔１１６を有しているのが好ましい。
【００３８】
周辺インサート１１８は、プラスチックから作られているとともに、隔膜１１３の端部、保護層１１４の端部および伸び防止層１１５の端部を含みかつ／または結合している。
【００３９】
従って、周辺要素１１８は、隔膜１１３の端部および伸び防止層１１５の端部を結合している要素であり、周辺で層１１５に接着する接地部１１２によって応力が生じるのを保証し、対照要素として直接作用するようにする要素である。
【００４０】
この場合においてもまた、層１１５が孔明き防止機能を達成することもできるときには、保護層１１４を省略することができる。
【００４１】
さて、図４によれば、この発明に係る底革は、全体として参照符号２１０で表されており、複合材料の間底２１１および接地部２１２を備えてなり、この場合には、革、獣皮あるいは、通気性の観点から同等である材料によって構成されている。
【００４２】
間底２１１は、前記と同様な種類の防水・通気性材料から作られた隔膜１１３と、これまた前記と同様な種類の材料から作られた少なくとも１つの伸び防止用下部通気層２１５とを備えてなる。
【００４３】
隔膜２１３の端部および層２１５の端部は、接地部２１２の端部の内側にある。
【００４４】
間底２１１は、それを覆って成形されあるいは施され、かつ、とりわけ前記のさまざまな構成要素の端部に一体状に結合される周辺要素２１８によって、仕上げられている。
【００４５】
この施工は、適切な接着剤、例えばホットメルト型接着剤によって、あるいはホットプレス加工によって、具合よく行なわなければならない。
【００４６】
この場合には、保護層の存在は必要ではないが、これは、通気性が材料の真の特性によって保証されているため接地部２１２に孔が必要ないからである。
【００４７】
実際に、この発明の意図した目標および諸目的が達成されたことはわかっている。
【００４８】
このように考案されたこの発明は、すべてがこの発明の概念の範囲内にある数々の修正および変形を行なうことができる。
【００４９】
靴の防水・通気性底革用間底は実際に、使用の間に、破れるおそれのある限度を超える防水・通気性隔膜の伸びが防止された。
【００５０】
間底および靴の通気性および防水性は、どのような場合にも伸び防止層の透湿性によって変わることなく残っており、また、製品には構造的複雑さがまったく付加されなかった。
【００５１】
すべての細部は、技術的に同等である他の諸要素でさらに置き換えることができる。
【００５２】
実際に、使われた材料は、それらが偶然の使用と矛盾しない限り、寸法と同様に、要求に応じる任意のものであってよい。
【００５３】
この出願が優先権を主張するイタリア特許出願第ＰＤ２０００Ａ０００２４２号の内容は、引用によってこの明細書に組み入れられる。
【図面の簡単な説明】
【図１】
図１は、この発明の第１実施態様に係る間底の備わった靴の防水・通気性底革の断面図である。
【図２】
図２は、図１における間底の構成要素の斜視図である。
【図３】
図３は、この発明の第２実施態様に係る間底の備わった靴の防水・通気性底革の断面図である。
【図４】
図４は、この発明の第３実施態様に係る間底の備わった靴の防水・通気性底革の断面図である。
【国際公開パンフレット】
2004511280.tif 000003
2004511280.tif 000004
2004511280.tif 000005
2004511280.tif 000006
2004511280.tif 000007
2004511280.tif 000008
2004511280.tif 000009
2004511280.tif 000010
2004511280.tif 000011
2004511280.tif 000012
2004511280.tif 000013
2004511280.tif 000014
【手続補正書】
【提出日】平成15年1月22日(2003.1.22)
【手続補正１】
【補正対象書類名】明細書
【補正対象項目名】特許請求の範囲
【補正方法】変更
【補正の内容】
【特許請求の範囲】
【請求項１】
防水・通気性隔膜（１３，１１３，２１３）と、
この隔膜の伸びを防止するための通気性のある伸び防止用複合材料から作られた少なくとも１つの下部層（１５，１１５，２１５）であって、この下部層（１５，１１５，２１５）が、前記隔膜（１３，１１３，２１３）にその周辺区域でだけ一体状に結合され、この下部層（１５，１１５，２１５）が、その対応周辺区域で底革（１０，１１０，２１０）の接地部（１２，１１２，２１２）に一体状に結合され、その結果、前記周辺区域の内側の部位に、下部層（１５，１１５，２１５）と隔膜（１３，１１３，２１３）との間の結合がまったく存在しないことを特徴とする少なくとも１つの下部層（１５，１１５，２１５）と
を備えてなる、靴の防水・通気性底革用の改良型間底。
【請求項２】
前記隔膜（１３）と伸び防止用複合材料の前記の層（１５）との間に配置された、耐加水分解性、撥水性、通気性または孔明きの材料から作られた保護層（１４）があることを特徴とする請求項１に記載の間底。
【請求項３】
前記隔膜（１３）と前記伸び防止層（１５）との間の結合が、接着剤によって、かつ／またはホットプレス加工によってもたらされていることを特徴とする請求項１または２に記載の間底。
【請求項４】
前記隔膜（１３，１１３）と前記伸び防止層（１５，１１５）との間の結合が、ホットプレス加工、接着あるいはオーバーモールド加工による周辺封止法で、成形ずみインサートで、あるいは組付ずみインサートでもたらされていることを特徴とする請求項１または２に記載の間底。
【請求項５】
前記伸び防止層が、５％未満の極限伸びで１０００Ｎ／ｃｍを超える破壊応力を有していることを特徴とする請求項１に記載の間底。
【請求項６】
前記伸び防止層（１５）が、相異なる少なくとも４つの方位、つまり、横糸方位、縦糸方位、斜め右から左への方位および、斜め左から右への方位で織られた、炭素および／またはガラスおよび／またはポリプロピレンの繊維から作られており、これらの繊維は、前記応力を繊維の全体へ伝達するように意図されているフェノール樹脂、ポリウレタン樹脂、エポキシ樹脂のような樹脂、天然ゴムあるいは合成ゴムで、高密度層が形成されないように、含浸されていることを特徴とする請求項５に記載の間底。
【請求項７】
前記伸び防止層（１５）が、相異なる少なくとも４つの方位、つまり、横糸方位、縦糸方位、斜め右から左への方位および、斜め左から右への方位で織られた、炭素および／またはガラスおよび／またはポリプロピレンの繊維から作られており、これらの繊維は、低い融点を有し、それによって、繊維の一部が、溶融とその結果として生じる含浸とで一体状に結合するためのホットプレス加工処理によって溶融することを特徴とする請求項５に記載の間底。
【請求項８】
前記伸び防止層（１５）が、織られて含浸された繊維の束からなる格子（１７）によって構成されていることを特徴とする請求項６または７に記載の間底。
【請求項９】
プラスチックから作られ、かつ、地面との接触区域から複合材料で作られた前記の層（１５，１１５）まで延びている貫通孔（１６，１１６）が設けられた前記接地部（１２，１１２）を備え、前記接地部（１２，１１２）が、周辺の接着あるいはホットプレス加工によって前記間底（１１，１１１）へ組み付けられていることを特徴とする請求項１または２に記載の間底を備えてなる底革。
【請求項１０】
プラスチックから作られ、かつ、地面との接触区域から複合材料で作られた前記の層（１１５）まで延びている貫通孔（１１６）が設けられた前記接地部（１１２）を備え、前記接地部（１１２）が、周辺の接着あるいはホットプレス加工あるいはオーバーモールド加工によって前記間底（１１１）へ組み付けられていることを特徴とする請求項４に記載の間底を備えてなる底革。
【請求項１１】
革、獣皮あるいは、通気性の点に関して同等である材料によって構成されている前記接地部を備え、前記接地部（１１２）が、周辺の接着によって前記間底（１１１）へ組み付けられていることを特徴とする請求項１または２に記載の間底を備えてなる底革。
【請求項１２】
革、獣皮あるいは、通気性の点に関して同等である材料によって構成されている前記接地部（２１２）を備え、前記接地部（２１２）が、周辺の接着あるいはホットプレス加工によって、または前記インサートの上へのオーバーモールド加工によって前記間底（２１１）へ組み付けられていることを特徴とする請求項１または２に記載の間底を備えてなる底革。
【国際調査報告】
2004511280.tif 000015
2004511280.tif 000016
2004511280.tif 000017